(57)【特許請求の範囲】
【請求項１】
撮像素子に一度の露光で蓄積された全画素数の電荷を転送する際に前記電荷のデータ転送を複数フィールドに分割して行い、かつ複数のカラーフィルタを設けた撮像素子を用いる撮像装置であって、
前記電荷を転送する複数のフィールドのそれぞれが前記カラーフィルタに用いられている全てのカラー信号に対応した電荷を含むインタレース転送を行う撮像素子と、画像処理を開始する際に、既に転送済みのフィールドに含まれている前記カラーフィルタに用いられている全てのカラー信号に対応した電荷を用いて撮影した画像の特徴データを抽出する抽出手段と、抽出した前記特徴データに基づき画像補正を行う制御値を生成する生成手段と、前記制御値を用いて前記特徴データを抽出した転送データの画像処理を行う画像処理手段と、画像処理した画像データを記録する記録手段と、を備えたことを特徴とする撮像装置。
【請求項２】
撮像素子に一度の露光で蓄積された全画素数の電荷を転送する際に前記電荷のデータ転送を複数フィールドに分割して行い、かつ複数のカラーフィルタを設けた撮像素子を用いる撮像装置であって、
前記電荷を転送する複数のフィールドのそれぞれが前記カラーフィルタに用いられている全てのカラー信号に対応した電荷を含むインタレース転送を行う撮像素子と、画像処理を開始する際に、既に転送済みのフィールドに含まれている前記カラーフィルタに用いられている全てのカラー信号に対応した電荷を用いて撮影した画像の特徴データを抽出する抽出手段と、抽出した前記特徴データに基づき画像補正を行う制御値を生成する生成手段と、前記制御値を用いて、後から転送される前記特徴データを抽出した転送データに対して画像処理を行う画像処理手段と、画像処理した画像データを記録する記録手段と、を備えたことを特徴とする撮像装置。
【請求項３】
前記撮像素子に設けたカラーフィルタを、ＲＧＢの原色系であるカラーフィルタとしたことを特徴とする請求項１または２記載の撮像装置。
【請求項４】
前記撮像素子に設けたカラーフィルタを、ＹｅＣｙＭｇＧの補色系であるカラーフィルタとしたことを特徴とする請求項１または２記載の撮像装置。
【請求項５】
前記複数のフィールドに分割して電荷を転送する転送回数を３回とし、かつ各フィールドを垂直方向で１／３に間引くインタレース転送方式であることを特徴とする請求項１〜４のいずれか１項に記載の撮像装置。
【請求項６】
前記画像特徴データがホワイトバランス制御用の色分布データであり、前記特徴データに基づき記録する画像データのホワイトバランス用の制御値を生成することを特徴とする請求項１〜５のいずれか１項に記載の撮像装置。
【請求項７】
前記画像特徴データが画面内のエッジ成分を抽出したデータであり、前記特徴データに基づき記録する画像データのエッジ強調用の制御値を生成することを特徴とする請求項１〜５のいずれか１項に記載の撮像装置。
【請求項８】
前記画像特徴データが画面内の色情報を抽出したデータであり、前記特徴データに基づき記録する画像データの色変換係数の制御値を生成することを特徴とする請求項１〜５のいずれか１項に記載の撮像装置。
【請求項９】
前記画像特徴データが画面内の明るさ分布を抽出したデータであり、前記特徴データに基づき記録する画像データのコントラスト補正の制御値を生成することを特徴とする請求項１〜５のいずれか１項に記載の撮像装置。
【請求項１０】
請求項１〜５のいずれか１項に記載の撮像装置であって、前記画像特徴データが画面内の明るさの分布を抽出したデータであり、抽出したデータに基づき２値化画像を生成するための閾値を制御値として生成することを特徴とする撮像装置。
【請求項１１】
撮像素子に一度の露光で蓄積された全画素数の電荷を転送する際に前記電荷のデータ転送を複数フィールドに分割して行い、かつ複数のカラーフィルタを設けた撮像素子を用いた撮像装置に用いられる撮像方法であって、
前記電荷を転送する複数のフィールドのそれぞれが前記カラーフィルタに用いられている全てのカラー信号に対応した電荷を含むインタレース転送を行う撮像素子からの転送データを受け、画像処理を開始する際に、既に転送済みのフィールドに含まれている前記カラーフィルタに用いられている全てのカラー信号に対応した電荷を用いて撮影した画像の特徴データを抽出し、抽出した前記特徴データに基づき画像補正を行う制御値を生成して、前記制御値を用いた前記特徴データを抽出した転送データの画像処理を行い、画像データとして記録することを特徴とする撮像方法。
【請求項１２】
撮像素子に一度の露光で蓄積された全画素数の電荷を転送する際に前記電荷のデータ転送を複数フィールドに分割して行い、かつ複数のカラーフィルタを設けた撮像素子を用いた撮像装置に用いられる撮像方法であって、
前記電荷を転送する複数のフィールドのそれぞれが前記カラーフィルタに用いられている全てのカラー信号に対応した電荷を含むインタレース転送を行う撮像素子からの転送データを受け、画像処理を開始する際に、既に転送済みのフィールドに含まれている前記カラーフィルタに用いられている全てのカラー信号に対応した電荷を用いて撮影した画像の特徴データを抽出し、抽出した前記特徴データに基づき画像補正を行う制御値を生成し、前記特徴データより作成された制御値を用いて、後から転送される前記特徴データを抽出した転送データに対して画像処理を行い記録することを特徴とする撮像方法。
【請求項１３】
前記インタレース転送において、複数のフィールドに分割して電荷を転送する転送回数を３回とし、かつ各フィールドを垂直方向で１／３に間引くことを特徴とする請求項１１または１２記載の撮像方法。
【発明の詳細な説明】
【０００１】
【発明の属する技術分野】
本発明は、撮像素子に蓄積された電荷を転送する際、複数フィールドに分割して各フィールドの転送データに少なくともＲＧＢまたはＹｅＣｙＭｇＧからなるカラー信号を含むインタレース転送方式の撮像素子を使用した撮像装置および撮像方法に関するものである。
【０００２】
【従来の技術】
従来のデジタルカメラに使用される撮像装置において、２回に分けて読み出しを行うインタレース方式、または１回で読み出しを行うプログレッシブ方式による撮像素子からの電荷を転送することが行われている。これらの各方式にはいずれも長所があり、または短所がある。例えば、特開２００１−２８５６８８号公報に記載されるデジタルカメラのように、インタレース転送方式、プログレッシブ転送方式の両方を備えたものがある。この記載によれば、インタレース転送方式においては、シャッターを用いる単写モードにより処理時間を要するが質の高い画像を提供し、プログレッシブ転送方式では、シャッターを用いず複数画素列に１画素列の信号を転送する連写モードによってスミア等が生じてしまうが高速連写を可能としている。
【０００３】
また、特開平６−５４２５０号公報に記載されるビデオ・カメラならびにその測光および合焦点検出方法によれば、インタレース転送方式の分割した一方のフィールドを用いて露光量を調整し、その後、他方のフィールドを用いて合焦位置の調整をするための予備撮影が行われている。
【０００４】
【発明が解決しようとする課題】
しかしながら、このような構成のインタレース転送方式の撮像素子を用いる撮像装置では、撮像素子に蓄積された電荷を転送する際、原色系のカラーフィルタの場合はＲ，Ｇｒ信号とＢ，Ｇｂ信号に分け、または補色系のカラーフィルタの場合はＹｅ，Ｃｙ信号とＭｇ，Ｇ信号に分け、第１，第２フィールドの２フィールドにより転送を行っていた（図７参照）。この方式ではＲＧＢ信号、またはＹｅＣｙＭｇＧ信号の画像処理に必要なデータを第１，第２の２フィールド分のデータ転送が完了するまで得ることができず画像処理に時間を要していたという問題があった。
【０００５】
本発明は、前記従来技術の問題を解決することに指向するものであり、インタレース転送方式の撮像素子を用いて、撮影してから次の撮影までの画像処理時間の短いインタレース転送方式の撮像装置および撮像方法を提供することを目的とする。
【０００６】
【課題を解決するための手段】
この目的を達成するために、本発明の請求項１に係る撮像装置は、撮像素子に一度の露光で蓄積された全画素数の電荷を転送する際に電荷のデータ転送を複数フィールドに分割して行い、かつ複数のカラーフィルタを設けた撮像素子を用いる撮像装置であって、電荷を転送する複数のフィールドのそれぞれがカラーフィルタに用いられている全てのカラー信号に対応した電荷を含むインタレース転送を行う撮像素子と、画像処理を開始する際に、既に転送済みのフィールドに含まれているカラーフィルタに用いられている全てのカラー信号に対応した電荷を用いて撮影した画像の特徴データを抽出する抽出手段と、抽出した特徴データに基づき画像補正を行う制御値を生成する生成手段と、制御値を用いて特徴データを抽出した転送データの画像処理を行う画像処理手段と、画像処理した画像データを記録する記録手段と、を備えた構成によって、最初のフィールドの転送データでカラーフィルタに用いられている全てのカラー信号成分を取得でき、転送データに基づき画面全体に渡る画像の特徴データを取得し、後で画像処理に用いる制御値の計算を開始して、各フィールドの転送データの取り込みが完了している範囲に関し、取り込み完了する前に画像処理を開始でき処理を高速化できる。
【０００７】
また、請求項２に係る撮像装置は、撮像素子に一度の露光で蓄積された全画素数の電荷を転送する際に電荷のデータ転送を複数フィールドに分割して行い、かつ複数のカラーフィルタを設けた撮像素子を用いる撮像装置であって、電荷を転送する複数のフィールドのそれぞれがカラーフィルタに用いられている全てのカラー信号に対応した電荷を含むインタレース転送を行う撮像素子と、画像処理を開始する際に、既に転送済みのフィールドに含まれているカラーフィルタに用いられている全てのカラー信号に対応した電荷を用いて撮影した画像の特徴データを抽出する抽出手段と、抽出した特徴データに基づき画像補正を行う制御値を生成する生成手段と、特徴データより作成された制御値を用いて、後から転送される特徴データを抽出した転送データに対して画像処理を行う画像処理手段と、画像処理した画像データを記録する記録手段と、を備えた構成によって、全画素を必要としないサイズの画像作成する際、任意のフィールドで抽出した特徴データに基づき生成の制御値を、それ以降の１フィールドか、または複数フィールドに渡る画像処理に用いることができ、画像処理を高速化できる。
【０００８】
また、請求項３，４の記載は、請求項１，２の撮像装置において、前記撮像素子に設けたカラーフィルタを、ＲＧＢの原色系であるカラーフィルタとしたこと、または、ＹｅＣｙＭｇＧの補色系であるカラーフィルタとした構成によって、原色系、補色系のカラー信号のデータを取得できる。
【０００９】
また、請求項５の記載は、請求項１〜４の撮像装置において、前記複数のフィールドに分割して電荷を転送する転送回数を３回とし、かつ各フィールドを垂直方向で１／３に間引くインタレース転送方式とした構成によって、電荷を転送する各フィールドの転送データにカラーフィルタに用いられている全てのカラー信号を含み最初のフィールドの転送データで画像のカラー信号成分を取得できる。
【００１０】
また、請求項６〜９の記載は、請求項１〜５の撮像装置において、前記画像特徴データがホワイトバランス制御用の色分布データであり、特徴データに基づき記録する画像データのホワイトバランス用の制御値を生成すること、前記画像特徴データが画面内のエッジ成分を抽出したデータであり、特徴データに基づき記録する画像データのエッジ強調用の制御値を生成すること、前記画像特徴データが画面内の色情報を抽出したデータであり、特徴データに基づき記録する画像データの色変換係数の制御値を生成すること、または、前記画像特徴データが画面内の明るさ分布を抽出したデータであり、特徴データに基づき記録する画像データのコントラスト補正の制御値を生成することを特徴とする。
【００１１】
さらに、請求項１０の記載は、請求項１〜５のいずれか１項に記載の撮像装置であって、前記画像特徴データが画面内の明るさの分布を抽出したデータであり、抽出したデータに基づき２値化画像を生成するための閾値を制御値として生成する構成によって、２値化画像の処理を高速化できる。
【００１２】
また、請求項１１に係る撮像方法は、撮像素子に一度の露光で蓄積された全画素数の電荷を転送する際に電荷のデータ転送を複数フィールドに分割して行い、かつ複数のカラーフィルタを設けた撮像素子を用いた撮像装置に用いられる撮像方法であって、電荷を転送する複数のフィールドのそれぞれがカラーフィルタに用いられている全てのカラー信号に対応した電荷を含むインタレース転送を行う撮像素子からの転送データを受け、画像処理を開始する際に、既に転送済みのフィールドに含まれているカラーフィルタに用いられている全てのカラー信号に対応した電荷を用いて撮影した画像の特徴データを抽出し、抽出した特徴データに基づき画像補正を行う制御値を生成して、制御値を用いた特徴データを抽出した転送データの画像処理を行い、画像データとして記録することを特徴とする。
【００１３】
また、請求項１２に係る撮像方法は、撮像素子に一度の露光で蓄積された全画素数の電荷を転送する際に電荷のデータ転送を複数フィールドに分割して行い、かつ複数のカラーフィルタを設けた撮像素子を用いた撮像装置に用いられる撮像方法であって、電荷を転送する複数のフィールドのそれぞれがカラーフィルタに用いられている全てのカラー信号に対応した電荷を含むインタレース転送を行う撮像素子からの転送データを受け、画像処理を開始する際に、既に転送済みのフィールドに含まれているカラーフィルタに用いられている全てのカラー信号に対応した電荷を用いて撮影した画像の特徴データを抽出し、抽出した特徴データに基づき画像補正を行う制御値を生成し、特徴データより作成された制御値を用いて、後から転送される特徴データを抽出した転送データに対して画像処理を行い記録することを特徴とする。
【００１４】
また、請求項１３の記載は、請求項１１，１２の撮像方法のインタレース転送において、複数のフィールドに分割して電荷を転送する転送回数を３回とし、かつ各フィールドを垂直方向で１／３に間引くことを特徴とし、蓄積の電荷転送を３つに分割し、各フィールドにカラー信号を全て含むインタレース転送を行う撮像素子を用いて、最初のフィールドの転送データによりカラーフィルタに用いられている全てのカラー信号成分を取得でき、この転送データに基づく画像の特徴データを取得して、画像処理に用いる制御値の計算を開始することで、各フィールドのデータ転送の完了している範囲において、残りフィールドの転送データ取り込み完了前に処理を開始でき、画像処理の高速化を行うことができる。
【００１５】
【発明の実施の形態】
以下、図面を参照して本発明における実施の形態を詳細に説明する。
【００１６】
図１は本発明の実施の形態１における撮像装置を有するデジタルカメラの概略構成を示すブロック図である。ここで本実施の形態１において、撮像素子に蓄積された電荷を転送する際に、３フィールドに分割し各フィールドにＲＧＢ信号の全てを含む、３：１インタレース転送方式の撮像素子を用いた撮像装置を例とする。
【００１７】
図１において、１は、原色系のＲＧＢカラーフィルタを設けた、電荷の転送を３回に分割して行う撮像素子（以下、ＣＣＤという）、２は、撮像レンズ群，シャッターを介して入射しＣＣＤ面に結像した画像を、アナログ画像信号として取り出してデジタル画像信号に変換等を行う撮像処理部（ＣＳＤ（相関２重サンプリング回路），ＡＧＣ（自動利得制御回路），Ａ／Ｄ（アナログ／デジタル変換回路），ＴＧ（タイミング発生回路）等を有する）、３は、デジタル画像信号をＣＣＤ−Ｉ／Ｆ３ａを介して記憶部（ＳＤＲＡＭ）４に格納し、また画像の特徴データを抽出する処理等を行う信号処理部、５は、抽出された特徴データに基づき画像補正に用いる制御値を生成、および各部の制御を行う制御部（ＣＰＵ）である。
【００１８】
また、図２は本実施の形態１におけるＣＣＤに蓄積された電荷を転送する際、３フィールドに分割して各フィールドにＲＧＢ信号を全て含む３：１インタレース転送方式の原色系のカラーフィルタを設けたＣＣＤのデータ転送の概要図であり、図３（ａ）は本実施の形態１における撮像装置を有するデジタルカメラの外観を示す正面図、図３（ｂ）は側面図、図３（ｃ）は上面図である。
【００１９】
図２に示すように、垂直方向の３ラインを１グループとして考え転送を行うフレームにおいて、まず、数字の“１”が書かれているラインを第１フィールドとしてデータ転送をする。この第１フィールドにはＲＧＢ信号の全ての成分が含まれている。このように全てのＲＧＢ信号を含む転送データによって作られる画像の特徴データは、第１フィールドの転送が完了したところで取得することができる。そして第１フィールドの転送が完了した後、第２，第３フィールドがそれぞれ転送されることになる。また、図２に示す原色系のＲ，Ｇｒ信号、Ｂ，Ｇｂ信号を補色系のＹｅ，Ｃｙ信号、Ｍｇ，Ｇ信号に置き換えることも可能である（図４参照）。
【００２０】
以下に、図１を参照しながら本実施の形態１の動作について図５のフローチャートに基づき説明する。まず、撮影対象の画像に応じＣＣＤ１に蓄積された電荷のデータとして、３フィールドに分割された第１フィールド分のデータ転送が行われる（Ｓ１）。撮像処理部２を介して信号処理部３のＣＣＤ−Ｉ／Ｆ３ａにより画像の特徴データが抽出され、また転送データは記憶部４に格納される（Ｓ２）。この第１フィールドのデータ転送が完了した時点で、画素のＲＧＢ信号の全てのデータが転送されることから、第１フィールドのデータ転送の完了時点において、画像の特徴データを取得することができる。これによって、第２フィールドのデータ転送開始直後より特徴データから制御値の演算を行うことができる（Ｓ３）。つまり、第２，第３フィールドのデータ転送中であっても、次の画像処理に用いる制御値の算出を開始することができる。
【００２１】
さらに、第２フィールドのデータ転送後、第３フィールドのデータ転送が行われ（Ｓ４）、最終的に第１〜第３フィールドの全てのデータ転送が終了した後（Ｓ５）、メモリコントローラ３ｂを介して記憶部４（ＲＡＷ−ＲＧＢ領域）に格納されたＲＧＢ信号のデータは、ＹＵＶ（輝度色差信号）変換部３ｃによりＹＵＶ信号のデータに変換されて、再び記憶部４（ＹＵＶ領域）に格納される。この変換時において、先に抽出した特徴データに基づき制御部５にて生成された制御値が使われる（Ｓ６）。
【００２２】
また、ＹＵＶ信号のデータは再度、記憶部４から読み出され圧縮処理部３ｄにより、例えば、ＪＰＥＧフォーマットに圧縮処理をして記憶部４に格納する。また、記憶部４（ＪＰＥＧ領域）に格納する際に、ＪＰＥＧ圧縮されたデータにヘッダデータ等が付加されてＪＰＥＧ画像データとし、さらに制御部５によって外部記憶部４’に保存される（Ｓ７）。
【００２３】
なお、前記の例では、３フィールドの全画素のデータ転送が完了した後、ＹＵＶ変換の処理を開始する例を説明しているが、例えば、第３フィールドのデータ転送中であっても、既に転送が完了している部分においては、全てのＲＧＢ信号のデータを含んでいることから、画像処理を開始することが可能であり、この方法によれば、より早くＹＵＶ変換を終了させることができる。
【００２４】
また、具体的に画像処理を行うＹＵＶ変換時に使用する制御値を生成する特徴データとして、ホワイトバランスのゲインを計算する制御用の色分布データ、明るさ分布を均等とするコントラスト設定用の画面を複数エリアに分割したそれぞれの明るさデータ、画像のエッジ強調する出力信号の大きさに対応の画像エッジ強調係数を算出する画像データのハイパスフィルタからの出力データ、さらに、画面を複数エリアに分割したそれぞれのエリアの色情報等が用いられる。例えば、色分布から人物撮影がされていると認識され場合は、肌色がより好ましい肌色に再現されるような色変換係数を算出し、この色変換係数を用いたＹＵＶ変換を行う画像処理が行われる。
【００２５】
図６は本発明の実施の形態２における撮像装置を有するデジタルカメラの概略構成を示すブロック図である。ここで、前記実施の形態１を示す図１において説明した構成部材に対応して同等の機能を有するものには同一の符号を付す。また本実施の形態２においても実施の形態１と同様に、撮像素子に蓄積された電荷を転送する際に、３フィールドに分割し各フィールドにＲＧＢ信号の全てを含み、３：１インタレース転送方式の撮像素子を用いた撮像装置を例とする。
【００２６】
図６に示すブロック図において、ＣＣＤ１は原色系のＲＧＢ信号を含み転送を３回に分割して行うインタレース転送方式のＣＣＤである。また、画像に対する前述のホワイトバランスゲイン調整，コントラスト設定値，エッジ強調係数，色変換係数等を、ＣＣＤ−Ｉ／Ｆ３ａにて設定する。このような信号処理部３の初段に配置されたＣＣＤ−Ｉ／Ｆ３ａにより制御値を設定するような構成においては、取得した特徴データから作成した制御値を画像処理に用いることは、特徴データを取得した画像に対して、作成した制御値を反映するような処理を行うことができないという課題があったが、本実施の形態２によりその課題を解決し、その処理を可能とした。
【００２７】
ここでは、１フレーム分の全画素を用いずに１つのフィールドのデータ転送に基づき画像生成を行う、例えば、第３フィールドのみを用いて画像形成を行う場合であって、第１フィールドのデータ転送により画像の特徴データを抽出し、第２フィールドのデータ転送中に特徴データに基づく制御値の演算および設定を行う撮像装置について説明する。
【００２８】
いま、水平２０４８画素，垂直１５３６画素の３００万画素のＣＣＤを用いた場合には、３回の分割転送を行うインタレース転送方式においては、１回の転送により水平２０４８画素，垂直５１２画素のデータが転送されることになる。そのため水平６４０画素，垂直４８０画素（ＶＧＡ）サイズを記録する場合、１回分（１フィールド）の転送画素数により画像を生成することができる。
【００２９】
図６に示す撮像レンズ群を介して入射し、ＣＣＤ１面で結像した画像による電荷は、ＣＣＤ１よりアナログ画像信号として取り出される。このアナログ画像信号は、撮像処理部２（ＣＤＳ，ＡＧＣ，Ａ／Ｄ）によりデジタル信号に変換され、信号処理部３のＣＣＤ−Ｉ／Ｆ３ａを介して記憶部４に格納され、第１フィールドのデータ転送が完了した時点で、第１フィールドの転送データに対してＹＵＶ変換を行い、その変換時に生成される画像特徴データを制御部５が読み出す。
【００３０】
これらの処理は第２フィールド転送中に処理され、制御部５において読み出された画像特徴データから制御値を算出、ＣＣＤ−Ｉ／Ｆ３ａに設定される。第３フィールドのデータ転送時には、この制御値が転送データの画素全てに対して有効になり、撮影シーンの画像特徴データを用いた制御値を撮影画面に反映することができる。さらに前記実施の形態１と同様に、第３フィールドのＲＧＢ信号のデータは、記憶部（ＳＤＲＡＭ）４より読み出され、ＹＵＶ変換部３ｃでＹＵＶ変換され、圧縮処理部３ｄによってＪＰＥＧ圧縮され、外部記憶部（メモリカード）４’にＪＰＥＧ画像ファイルとして保存される。
【００３１】
前記の処理において、また実施の形態１においても同様であるが、水平と垂直のアスペクト比が合わなくなるが、例えば、ＹＵＶ変換するためＹＵＶ変換部３ｃへの転送時に、記憶部（ＳＤＲＡＭ）４から間引きした読み出しを行うことでアスペクト比を調整することができる。
【００３２】
なお、図６に示す構成ではＹＵＶ変換部３ｃにおいて特徴データを抽出していることになっているが、実施の形態１と同様にＣＣＤ−Ｉ／Ｆ３ａにおいて特徴データを抽出するようにしても良く、第１フィールドにおいて特徴データを取得し、第２フィールドのデータ転送時に制御値を作成しＣＣＤ−Ｉ／Ｆ３ａに設定、第３フィールドのデータ転送に制御値を反映することも可能である。
【００３３】
また、同様に、２値化画像を処理できる撮像装置において、２値化処理をする場合に、明るい部分と暗い部分を判別するための閾値を予め決め、１フィールドの転送データからの画像特徴データにより判別を行う。
【００３４】
つまり、デジタルカメラのような被写体全面が常に同一照度で照らされているとは限らない撮像条件で多用される装置においては、画面を小エリアに分割して、それぞれの明るさ分布を検出し、かつそれぞれのエリアにおける閾値を決める必要がある。明るさ分布を検出するためには、原色系撮像素子においては、ＲＧＢ信号全てのデータが画面全体にわたって必要となることから、第１フィールドのデータ転送で記憶部（ＳＤＲＡＭ）４に書き込まれたＲＧＢ信号のデータを基に、各エリアの閾値を第２，第３フレームのデータ転送終了前に算出することができ、データ転送が完了したところで、算出した閾値を用いて２値化処理を開始することができる。また、第１フィールドの画像特徴データである明るさ分布を用いて閾値の算出をすることも可能である。
【００３５】
以上のことから、最初のフィールドの転送データに基づき画像の特徴データを取得し、残りのフィールドの転送データの取り込み完了前に、画像処理に用いる制御値の計算を開始して、画像処理を高速化することができる。
【００３６】
【発明の効果】
以上説明したように、本発明によれば、蓄積の電荷転送を３フィールドに分割し、各フィールドにカラー信号を全て含む３：１インタレース転送方式の撮像素子を用いて、最初のフィールドの転送データで全てのカラー信号成分を取得できることから、この転送データに基づき画面全体に渡る画像の特徴データを取得し、その後の画像処理に用いる制御値の計算を開始することで、各フィールドの転送データの取り込みが完了している範囲に関し、残りのフィールドの転送データの取り込みを完了する前に処理を開始することができ画像処理の高速化を行うことができる。
【００３７】
例えば、全フィールドの全ての画素を必要としないサイズの画像を作成する際に、任意のフィールドで抽出した特徴データに基づき生成の制御値を、それ以降の１フィールドか、または複数フィールドに渡る画像処理に用いることができると共に、処理を高速化することができるという効果を奏する。
【図面の簡単な説明】
【図１】本発明の実施の形態１における撮像装置を有するデジタルカメラの概略構成を示すブロック図
【図２】本発明の実施の形態１におけるＣＣＤに蓄積された電荷を転送する３フィールドに分割して各フィールドにＲＧＢ信号を全て含む３：１インタレース転送方式の撮像素子（ＣＣＤ）のデータ転送の概要図
【図３】（ａ）は本実施の形態１における撮像装置を有するデジタルカメラの外観を示す正面図、（ｂ）は側面図、（ｃ）は上面図
【図４】原色系のＲ，Ｇｒ信号、Ｂ，Ｇｂ信号と補色系のＹｅ，Ｃｙ信号、Ｍｇ，Ｇ信号のカラーフィルタを示す図
【図５】本発明の実施の形態１の動作を示すフローチャート
【図６】本発明の実施の形態２における撮像装置を有するデジタルカメラの概略構成を示すブロック図
【図７】従来のインタレース転送方式の撮像素子（ＣＣＤ）のデータ転送の概要図
【符号の説明】
１  撮像素子（ＣＣＤ）
２  撮像処理部
３  信号処理部
３ａ  ＣＣＤ−Ｉ／Ｆ
３ｂ  メモリコントローラ
３ｃ  ＹＵＶ変換部
３ｄ  圧縮処理部
４  記憶部（ＳＤＲＡＭ）
４’  外部記憶部（メモリカード）
５  制御部（ＣＰＵ）
【図１】
0004001268.tif 000002
【図２】
0004001268.tif 000003
【図３】
0004001268.tif 000004
【図４】
0004001268.tif 000005
【図５】
0004001268.tif 000006
【図６】
0004001268.tif 000007
【図７】
0004001268.tif 000008